(57)【要約】 【課題】ハンドルを操作すると、均等な力が第１・第２摺動腕及び作動レバーに伝わること。【解決手段】扉の壁面に所定間隔離間して固定された第１・第２台座部材に案内される第１・第２摺動腕を有する中空のハンドル、ハンドルに内装され、対向端部が可動連結ピンで枢支されていると共に、中間部が第１・第２台座部材の軸受け部の固定軸に軸支され、かつ、上下の端部が端部支軸を介してハンドルの上下部に連結された第１・第２同期杆、錠箱側の摺動腕及び台座部材に揺動自在に設けられ、ハンドルの水平動に連動して錠箱内の作動片を作動させる駆動レバー、第１・第２台座部材内にそれぞれ設けられ、プッシュ又はプル操作により移動したハンドルを初期位置へと戻す復帰バネとから成る錠の把手の構造。【選択図】  図２
2006002516.tif 000002
【特許請求の範囲】
【請求項１】
扉の壁面に所定間隔離間して固定された第１・第２台座部材に案内される第１・第２摺動腕を有する中空のハンドル、このハンドルに内装され、対向端部が可動連結ピンで枢支されていると共に、中間部が第１・第２台座部材の軸受け部の固定軸に軸支され、かつ、上下の端部が端部支軸を介してハンドルの上下部に連結された第１・第２同期杆、錠箱側の前記摺動腕及び台座部材に揺動自在に設けられ、ハンドルの水平動に連動して錠箱内の作動片を作動させる駆動レバー、第１・第２台座部材内にそれぞれ設けられ、かつ、プッシュ又はプル操作により移動したハンドルを初期位置へと戻す復帰バネとから成る錠の把手の構造。
【請求項２】
請求項１に於いて、台座部材は、筒状台座本体１６と、この台座本体に固定される支持板１８とを有し、前記支持板１８には、ハンドル内に突出する軸受け部２２と、台座本体の内部空間に位置し、かつ、復帰バネ２５を支持する支持部２３がそれぞれ形成されていることを特徴とする錠の把手の構造。
【請求項３】
請求項１又は請求項２に於いて、支持板１８の支持部２３には、固定支軸１９が横架され、該固定支軸に駆動レバー４５が軸支されていると共に、復帰バネ２５の中間部が巻装されていることを特徴とする錠の把手の構造。
【発明の詳細な説明】
【技術分野】
【０００１】
本発明は、錠の把手の構造、特にハンドル錠の把手の構造に関する。
【背景技術】
【０００２】
ハンドル錠の一例としてのプッシュ・プル錠は、そのラッチを係止するロッキングピースの係止状態を解除する場合には、扉（或いは錠箱）の一側面を基準にしてハンドル（把手）を壁面側へプッシュする（押す）、又は手前にプルする（引く）。
【０００３】
普通一般に、プッシュ・プル錠は、扉の壁面に固定される上下の台座と、これらの台座に案内される可動ハンドルと、前記台座の一方（例えば上方の台座）に対向するように扉の自由端部に内装され、かつ、錠機構を構成する作動片を有する錠箱とを備えている。
【０００４】
しかして、ハンドル用台座は、扉の壁面とハンドルとの間に設けられ、かつ、台座の一方には、錠箱内へと突出する駆動レバーが軸支されている。この駆動レバーが前記錠箱内の作動片に係合していることから、ハンドル（把手）を壁面側へプッシュする（押す）、又は手前にプルする（引く）と、駆動レバーの駆動力により錠箱の作動片が作動し、該作動杆に係合する錠箱内のロッキングピースは、ラッチの係止を解除するように揺動する。
したがって、扉を開くと、ラッチはラッチバネのバネ力に抗して後退する。そして、扉を開いた後にハンドルから手を離すと、ハンドル台座内部、錠箱等に設けられた復帰バネにより、初期位置へと自動的に復帰する。
【０００５】
ところで、ハンドルを壁面側へプッシュする、又は手前にプルする場合に、ハンドルの上部又は下部を操作すると、ハンドルに対する操作力が上下いずれかに偏るのが一般的であるから、例えば扉の錠箱に対して一方（上方又は下方）台座を扉に固定する方式（錠箱対向一方台座型）では、台座側の駆動レバーの駆動力が錠箱の作動片に対してスムースに伝達しない場合がある。そこで、棒状のハンドルのどの部分（中央部、上部、下部の意味）を操作しても、駆動レバーの駆動力が錠箱の作動レバーに伝達する方式が望ましい。
【特許文献１】特開平１０−３１１７３号公報
【特許文献２】実開平６−６６５６号公報
【特許文献３】特開平１１−３２４４１８号公報
【発明の開示】
【発明が解決しようとする課題】
【０００６】
本発明の第１の目的は、棒状ハンドルのどの部分（中央部、上部、下部の意味）を操作しても、均等な力が摺動腕乃至錠箱の作動レバーに伝達すること。第２の目的は、扉の壁面の外観性（部品点数の削減）、握りの所要空間性等を考慮し、扉の壁面に装着する部材を、極力少なくすること。第３の目的は、付随的目的であるが、台座部材に駆動レバーや復帰バネを合理的に取付けることである。
【課題を解決するための手段】
【０００７】
本発明の錠の把手の構造は、扉の壁面に所定間隔離間して固定された第１・第２台座部材に案内される第１・第２摺動腕を有する中空のハンドル、このハンドルに内装され、対向端部が可動連結ピンで枢支されていると共に、中間部が第１・第２台座部材の軸受け部の固定軸に軸支され、かつ、上下の端部が端部支軸を介してハンドルの上下部に連結された第１・第２同期杆、錠箱側の前記摺動腕及び台座部材に揺動自在に設けられ、ハンドルの水平動に連動して錠箱内の作動片を作動させる駆動レバー、第１・第２台座部材内にそれぞれ設けられ、かつ、プッシュ又はプル操作により移動したハンドルを初期位置へと戻す復帰バネとから成る。
【０００８】
上記構成に於いて、台座部材は、少なくとも筒状台座本体１６と、この台座本体に固定される支持板１８とを有し、前記支持板１８にはハンドル方向に向かって突出された軸受け部２２と、この軸受け部とは反対方向へ向かって延びて台座本体の内部空間に位置し、かつ、復帰バネ２５を支持する支持部２３がそれぞれ形成されていることを特徴とする。
【発明の効果】
【０００９】
（１）棒状ハンドルのどの部分（中央部、上部、下部の意味）を操作しても、均等な力が上下又は左右に位置する第１・第２摺動腕３１．３１Ａ及び摺動腕に連結された作動レバーに伝わる。したがって、錠箱内の作動レバーがスムースに作動する。
（２）長尺状の第１・第２同期杆４１．４１Ａが、中空の棒状ハンドル１１の内部に設けられているから、扉の壁面の外観性（部品点数の削減―同期杆用軸受け、同期杆用カバー等が不要）を向上させることができる。また、扉の壁面に軸受け、同期杆、カバー等を装着する必要がないから、同期杆、カバー等の突出量を考慮してハンドルを扉の壁面から離す必要はなく、最低限、ハンドルを片手で握れる「所要空間」さえ設定すれば良い。
（３）請求項２、３に記載の発明は、台座部材に駆動レバーや復帰バネを合理的に取付けることができる。
【発明を実施するための最良の形態】
【００１０】
以下、図１乃至図１１に示す本発明を実施するための最良の形態により説明する。なお、発明の特定要件に関係のない細部的事項は省略する。また、各構成部材の各部位の符号を一部省略する。また、例えばハンドル摺動腕、駆動レバー、同期連結杆など可動する部材を軸支する、或いは連結するための軸孔が真円か、それとも非真円かは、当然、当業者は可動部材が進退動或いは回動することができるように円形、楕円形、弧状の長孔、案内切欠、案内溝等に適宜に設計することから、真円か否か、弧状か否か等については詳細に説明しない。
【００１１】
（１）実施の環境
図１、図２を参照して本発明の実施例の環境を説明する。１は扉、２は扉の自由端部、３は扉の自由端部の開閉端面、４は扉枠、５は扉枠側の受け金具である。周知のように、扉１の自由端部２には、錠箱６が内装されている。この錠箱６には、受け金具５と係脱するラッチ、ロッキングピース、スライダーなど錠を構成する部材が適宜に組み込まれている。  
【００１２】
本発明は、錠の把手の構造Ｘに特徴があるので、説明の便宜上、図１、図２では錠の内部構造は省略し、ハンドルの摺動腕（駆動腕）の位置と関係がある錠箱６と、摺動腕及び台座部材にそれぞれ関係する（例えば連係する、軸支されているなど）駆動レバーと係合する作動片７のみを図示している。
【００１３】
（２）錠の把手の構造Ｘ
錠の把手の構造Ｘのハンドル１１は、扉１の壁面１ａに対して所要空間１２を有して垂直に配設されている。ここで、「所要空間」とは、棒状のハンドル１１を、扉１の壁面１ａに対してプッシュする場合に於いて、少なくともハンドルを片手で握った状態でプッシュできる空間のことを意味する。また、ハンドル１１は、上下部の内側にそれぞれ水平状態に突出する上下一対の摺動腕（ここでは、上方の摺動腕を「第１摺動腕」、下方の摺動腕を「第２摺動腕」とう。）を有しているが、前記第１摺動腕は、第１台座部材１３と共に錠箱６の側壁に向かって位置付けられている。
【００１４】
（３）主要部（特定要件）
本発明の主要部は、錠箱６を備えた扉１の壁面１ａに所定間隔離間して固定された第１・第２台座部材１３．３Ａと、これらの第１・第２台座部材にそれぞれ同時に案内される第１・第２摺動腕３１．３１Ａを有する中空の棒状ハンドル１１と、このハンドルにそれぞれ内装され、かつ、ハンドル中央部側の対向端部が可動の連結ピン４２で枢支されていると共に、中間部が前記第１・第２台座部材の突片状軸受け部２２．２２の固定軸４３．４３に軸支され、かつ、上下の端部が端部支軸４４．４４を介してハンドルの上下部に連結された長尺状の第１・第２同期杆４１．４１Ａと、前記錠箱側の摺動腕３１及び台座部材１３に揺動自在に設けられハンドルの水平動に連動して前記錠箱内の作動片７を作動させる駆動レバー４５と、第１・第２台座部材内にそれぞれ設けられ、かつ、プッシュ又はプル操作により移動したハンドルを初期位置へと戻すハンドル用復帰バネ２５．２５とから成る。その他の構成は、付加的事項である。
【００１５】
図１、図２で示すように、ハンドル１１内の略中央部に位置する可動の連結ピン（図面上中央部の枢支ピン）４２を基準にすると、長尺状の第１・第２同期杆等の上方側の部材と下方側の部材とは、第１台座部材１３及び第１摺動腕３１に駆動レバー４５を備えているか否かを除き、同一形態、同一寸法等に構成され、かつ、対称に配設されている。そして、両方の部材の構成及び作用は同一なので、ここでは、上方側の構成部材を参照にして説明し、下方側の構成部材には同一又は同様の符号を付して重複する説明を省略する。
【００１６】
（４）扉１
扉１は蝶番を介して建物の出入り口に開閉自在に取付けられている。ハンドル錠（例えばプッシュ・プル錠）の錠箱６は、扉１の自由端部２の開口に内装され、前述したように、ラッチ、ラッチバネ、ラッチと係脱するロッキングピース、単数又は複数（２枚）の作動片７など錠機構を構成する各部材を備えている。
【００１７】
（５）第１・第２台座部材
１３．１３Ａは、錠箱６を備えた扉１の壁面１ａに所定間隔離間して固定された第１・第２台座部材である。図５は上方の台座部材、図８は下方の台座部材をそれぞれ示す（ここでは、便宜上、上方の台座部材を「第１台座部材」、下方の台座部材を「第２台座部材」という。）。第１・第２台座部材１３．１３Ａは、それぞれ単数又は複数個の部材で構成される。
【００１８】
ここでは、主に図４〜図６を参照にして説明する。台座部材１３（１３Ａ）は、本実施例では、扉１の貫通孔に差し込まれる複数個の第１固着手段（螺合筒、螺杆）１４を介して扉１の壁面１ａに固定される取付けベース板１５と、これらの取付けベース板１５にそれぞれ固定される角筒状台座本体１６と、これらの台座本体１６に複数個の第２固着手段１７を介して固定される支持板１８とから成る。
【００１９】
取付けベース板１５、台座本体１６及び支持板１８の細部的な用語の符号を割愛するが、これらの各板１５、１６、１８の上下部等には、固着手段用のネジ孔、貫通孔が上下にそれぞれ適宜に形成されている。また、台座本体１６及び支持板１８には、ハンドル用復帰バネ２５の中間部を支持する固定支軸１９用の取付け孔が形成されている。
【００２０】
しかして、前記台座本体１６は、内部空間、固着手段用のネジ孔や貫通孔を有する支持板用取付け部、ハンドル１１内側の２本の縦長受け入れ溝２９に嵌入可能な左右一対の突片部１６ａ．１６ａなどが形成されている。
【００２１】
一方、前記支持板１８には、台座本体１６の支持板用取付け部の前面に第２固着手段１７を介して固定される垂直壁部２１と、この垂直壁部２１の一端部（第１支持板１８では下端部、第２支持板１８では上端部）にハンドル方向に向かって突出され、かつ、固定軸４３を介して長尺状の第１・第２同期杆４１．４１Ａの中間部を軸支する軸受け部２２と、この軸受け部２２とは反対方向へ向かって延び、台座本体１６の内部空間に位置する支持部２３がそれぞれ形成されている。しかして、支持部２３又は台座本体１６の対向内壁には、ハンドル摺動腕３１のピン状案内部（例えば可動支軸）３５を案内する案内長孔が形成されている。
【００２２】
また、支持板１８の前記垂直壁部２１には、復帰バネの一端部を支持するための切欠部が形成されていると共に、ハンドル１１の摺動腕３１が入り込むことが可能な開口或いは切欠部が形成されている。
【００２３】
（６）ハンドル１１と第１・第２摺動腕３１．３１Ａ
棒状のハンドル１１は、図３で示すように断面逆コ字型状の前方ハンドル片１１ａと、このハンドル片１１ａに一体的に係合する断面鉤状の後方ハンドル片１１ｂとで構成されている。前方ハンドル片１１ａと後方ハンドル片１１ｂとが固定手段（例えばネジ）２７を介して合体すると、ハンドル１１の内部が上下端部を除いて中空２８と成る。この中空２８内で上下の同期杆４１．４１Ａが前後方向に揺動可能である。なお、後方ハンドル片１１ｂは肉厚に形成され、前方ハンドル片１１ａと後方ハンドル片１１ｂとが固定手段（例えばネジ）２７を合体すると、強靭なハンドル１１が出来上がる。
【００２４】
ところで、前述した２本の縦長受け入れ溝２９は、第１・第２台座部材１３．１３Ａの各突片部を受け入れることができるように後方ハンドル片１１ｂの上下部にそれぞれ２本形成されている。ハンドル１１に縦長受け入れ溝２９を形成することは本発明の限定要件ではなく、第１・第２摺動腕３１．３１Ａの前方側の形態如何によっては、縦長受け入れ溝２９は不要である。
【００２５】
また、後方ハンドル片１１ｂには、支持板１８の突片状軸受け部２２がハンドル１１の内部に入り込むための切欠部が上下部にそれぞれ形成されている。  したがって、支持板１８の突片状軸受け部２２は、図１、図２で示すように、ハンドル１１の中空２８内に嵌入し、上下の同期杆４１．４１Ａの略中間部をそれぞれ軸支している。  
【００２６】
第１・第２摺動腕３１．３１Ａは、棒状ハンドル１１の後方ハンドル片１１ｂの上下の端部寄りの部位にそれぞれ第３固着手段３２を介して水平状態にそれぞれ固定され、各摺動腕３１．３１Ａは、第１・第２台座部材１３．１３Ａの内部空間に所定量入り込んでいる。
【００２７】
しかして、摺動腕３１（３１Ａ）は、前記第３固着手段３２用の水平貫通孔を有する前方側取付け部３３と、この前方側取付け部から台座部材の内部空間へ延び、かつ、台座部材の水平長孔に案内される案内部（例えば可動支軸）３５を有する後方対向壁３４とから成る。本実施例では、レバー状の第１・第２同期杆４１．４１Ａを有することから、摺動腕３１（３１Ａ）は、棒状ハンドル１１のどの部位を押しても、第１・第２台座部材１３．１３Ａにそれぞれ同時（同期状態）に案内される。
【００２８】
（７）第１・第２同期杆４１．４１Ａ
長尺状の第１・第２同期杆４１．４１Ａは、中空ハンドル１１にそれぞれ内装され、かつ、ハンドル中央部側の対向端部が可動の連結ピン４２で枢支されていると共に、中間部が第１・第２台座部材の突片状軸受け部２２．２２の固定軸４３にそれぞれ軸支されている。
【００２９】
しかして、上方に位置する第１同期杆４１の上端部及び下方に位置する第２同期杆４１Ａの下端部は、ハンドル１１の上下端部にそれぞれ横設軸架された端部支軸４４．４４に連結（例えば軸支）され、かつ、各同期杆４１．４１Ａの中間部は、中空ハンドル１１内の上下の固定軸４３．４３にそれぞれ軸支されている。
（８）駆動レバー４５とその作動
駆動レバー４５は、錠箱６側の第１摺動腕３１及び第１台座部材１３に揺動自在に設けられ、かつ、ハンドル１１の水平動に連動して錠箱６内の作動片７を作動させる。
【００３０】
しかして、Ｌ型状の駆動レバー４５は、その中央部が固定支軸１９を介して第１台座部材１３に軸支されていると共に、一端部（上端部）は、第１摺動腕３１の案内部３５に連係（例えば軸支、係合）している。
【００３１】
したがって、駆動レバー４５は、ハンドル１１が水平動すると、ピン状案内部３５が壁面１ａ側へ移動することから、前記固定支軸１９を支点に回転する。図１１を参照にすると、駆動レバー４５は、固定支軸１９及び摺動腕３１の可動支軸３５を介して時計計方向へ回転する。なお、駆動レバー４５は、軸支された傾斜部分４６と、この傾斜部分の中央部から延設する水平部分（係合部分）４７とを有する。前記傾斜部分４６には、軸孔或いは長孔が形成され、一方、前記水平部分４７は、壁面１ａの内部（錠箱１の内部）まで延び、錠箱６内の作動片７と係合可能である。
【００３２】
（９）ハンドル用復帰バネ２５
前述したように、駆動レバー４５を軸支する固定支軸１９は、支持板１８の断面或いは端面コ字型の支持部２３に横架され、該固定支軸１９にハンドル用復帰バネ２５の中間部が巻装されている。
【００３３】
しかして、復帰バネ２５の直線状一端部２５ａは、支持板１８の垂直壁部２１の切欠部の切欠端面に支持され、一方、湾曲状の他端部２５ｂは、ハンドル摺動腕３１のピン状案内部３５に圧接している。ハンドル用復帰バネ２５の装着態様により、ハンドル１１をプシュ方式にするか、それともプル方式にするかを決めることができる。本実施例では、ハンドル用復帰バネ２５は、第１・第２台座部材１３．１３Ａにそれぞれ設けられ、かつ、プッシュ操作により移動したハンドル１１を初期位置へと戻す（壁面１ａから離す）。
【００３４】
したがって、ハンドル用復帰バネ２５は、ハンドル１１を壁面１ａ側にプッシュした場合に於いて、当該ハンドル１１から手を離すと、ハンドル１１を初期位置へと戻す弾性復帰機能を発揮する。これにより、駆動レバー４５も初期位置へと戻る。
【００３５】
（１０）作用
図２は初期状態を示す概略説明図、図９はハンドルをプッシュした場合の説明図、図１０は第１・第２同期杆４１．４１Ａの動きを示す説明図、図１１は駆動レバーの説明図である。これらの図を参照にして作用を説明する。
【００３６】
図２で示すように、ハンドル１１をプッシュしない初期状態の場合には、第１・第２同期杆４１．４１Ａを連結する連結ピン４２は、上下の端部支軸４４．４４によりも右側（壁面１ａ側）に位置し、上下の第１・第２同期杆４１．４１Ａは、右側に若干傾倒している（図１０では、仮想線の位置）。
【００３７】
そこで、今仮に、図９で示すように、ハンドル１１の上部寄りの部位（Ｐの部分）を壁面１ａに向かって直交方向（矢印Ａ）へプッシュする。そうすると、第１・第２同期杆４１．４１Ａの上下部（端部、或いは端部寄りの部位）は、上下の端部支軸４４．４４に軸支され、かつ、ハンドル中央部側の対向端部が可動の連結ピン４２で枢支されていることから、Ｐの部分の押圧力は、上部の端部支軸４４、上側の固定軸４３、連結ピン４２、下側の固定軸４３及び下部の端部支軸４４をそれぞれ介して当該ハンドル１１の下部側にも均等に伝わる。
【００３８】
そこで、ハンドル１１を図９の矢印Ａ方向へ押し込むと、第１・第２同期杆４１．４１Ａの連結ピン４２は、逆に図１０の矢印Ｂ方向へ移行し、第１・第２同期杆４１．４１Ａは略垂直状態となる（図１０では、実線の位置）。
【００３９】
この時、上下の第１・第２摺動腕３１．３１Ａは、支持部材としての第１・第２台座部材１３．１３Ａに同時に案内されながら、かつ、上下の復帰バネ２５．２５のバネ力に抗して傾くことなく水平移動する。そして、駆動レバー４５は、図１１で示すように固定支軸１９を支点に時計方向へ所定量回転し、作動片７を押し下げる。
【実施例】
【００４０】
発明の実施の形態に於いて、第１・第２同期杆４１．４１Ａの各中間部は、固定軸４３．４３でそれぞれ軸支されていることから、可動の連結ピン４２及び上下の端部支軸４４．４４でそれぞれ枢支されている部分の孔は遊び有している。また発明の実施の形態に於いて、ハンドル１１をプッシュする場合を一例にして説明したが、復帰バネ２５の他端部の圧接方向を変えると、ハンドル１１をプルする方式に変えることができるので、ハンドル１１をプッシュする実施例に限定するものではない。
【００４１】
また、第１・第２台座部材１３．１３Ａは、上下のみならず、左右に配設することもできる。この場合には、ハンドル１１は垂直ではなく、水平状態になり、また駆動レバー４５は扉の開閉端部３側の台座部材の方に設けられる。
【００４２】
さらに、特に図示しないが、ハンドル１１の端部に開口部を単数又は複数個形成し、該開口部にサムター部材又はシリンダー錠を任意に装着することができる。
【産業上の利用可能性】
【００４３】
本発明は、主に建具や錠前の業界で利用される。
【図面の簡単な説明】
【００４４】
図１乃至図１１は本発明の最良の実施例を示す各説明図。
【図１】扉の壁面側から見た一部切欠の概略説明図。
【図２】扉の開閉端面側から見た断面概略説明図。
【図３】図２の３−３線拡大端面図。
【図４】ハンドルの上部を壁面に向かって正面視した場合に於いて、ハンドルの内部構造を示す説明図。
【図５】図３に於いて、扉の開閉端面側から見た断面概略説明図。
【図６】第１台座部材及び内部構造を示す説明図。
【図７】ハンドルの下部を壁面に向かって正面視した場合に於いて、ハンドルの内部構造を示す説明図。
【図８】図７に於いて、扉の開閉端面側から見た断面概略説明図。
【図９】ハンドルをプッシュした場合の説明図。
【図１０】第１・第２同期杆の動きを示す説明図。
【図１１】駆動レバーの作動状態の説明図。
【符号の説明】
【００４５】
１…扉、１ａ…壁面、２…扉の自由端部、３…開閉端面、４…扉枠、６…錠箱、７…作動片、１１…ハンドル、１２…所要空間、１３…第１台座部材（上方）、１３Ａ…第２台座部材（下方）、１４…第１固着手段、１５…取付けベース板、１６…台座本体、１７…第２固着手段、１８…支持板、１９…固定支軸、３１…第１摺動腕、２２…軸受け部、２３…支持部、２５…ハンドル用復帰バネ、３１Ａ…第２摺動腕、３２…第３固着手段、３５…ピン状案内部、４１…第１同期杆、４１Ａ…第２同期杆、４２…連結ピン、４３…固定軸、４４…端部支軸、４５…駆動レバー。
【図１】
2006002516.tif 000003
【図２】
2006002516.tif 000004
【図３】
2006002516.tif 000005
【図４】
2006002516.tif 000006
【図５】
2006002516.tif 000007
【図６】
2006002516.tif 000008
【図７】
2006002516.tif 000009
【図８】
2006002516.tif 000010
【図９】
2006002516.tif 000011
【図１０】
2006002516.tif 000012
【図１１】
2006002516.tif 000013